(57)【要約】      （修正有）【課題】排尿便及び洗浄水を排尿便処理体内及びホース内に蓄積することなく素早く排泄物収容部に収容できる自動排尿便処理装置を提供。【解決手段】寝具用ベッドの中央に装着孔を穿設すると共に装着孔から寝具ベッドの端部までパイプ通路を形成し、装着孔に装着した排尿便処理体５１とパイプ通路に嵌着した排出パイプ１０３とを連通し、排尿便処理体により排尿便を排出パイプを介して寝具ベッド外に搬送可能に構成した自動排尿便処理装置において、排尿便処理体の内部から排出パイプ終端に至る排尿便通路の一部に屈曲部を形成して排尿便の搬送時に渦流を発生させるべく構成したことを特徴とする。【選択図】図１４
2010148724.tif 000002
【特許請求の範囲】
【請求項１】
寝具用ベッドの中央に装着孔を穿設すると共に装着孔から寝具ベッドの端部までパイプ通路を形成し、装着孔に装着した排尿便処理体とパイプ通路に嵌着した排出パイプとを連通し、排尿便処理体により排尿便を排出パイプを介して寝具ベッド外に搬送可能に構成した自動排尿便処理装置において、
排尿便処理体の内部から排出パイプ終端に至る排尿便通路の一部に屈曲部を形成して排尿便の搬送時に渦流を発生させるべく構成した
ことを特徴とする自動排尿便処理装置。
【請求項２】
屈曲部は、排尿便処理体における処理部本体の排尿便受け部に形成した
ことを特徴とする請求項１に記載の自動排尿便処理装置。
【請求項３】
屈曲部は、排出パイプの中途に形成した
ことを特徴とする請求項１に記載の自動排尿便処理装置。
【請求項４】
屈曲部は排出パイプの始端近傍に形成した
ことを特徴とする請求項１に記載の自動排尿便処理装置。
【請求項５】
屈曲部は排出パイプの終端近傍に形成した
ことを特徴とする請求項１に記載の自動排尿便処理装置。
【請求項６】
屈曲部は排尿便通路を上方へ屈曲させた
ことを特徴とする請求項１〜５の何れか１項に記載の自動排尿便処理装置。
【請求項７】
屈曲部は排尿便通路を下方へ屈曲させた
ことを特徴とする請求項１〜５の何れか１項に記載の自動排尿便処理装置。
【発明の詳細な説明】
【技術分野】
【０００１】
本発明は、寝たきりの患者や老人等が寝たままで他人の介助無しに排尿便を処理できる自動排尿便処理装置に関する。
【背景技術】
【０００２】
従来、寝たきりの患者や老人等が寝たままで他人の介助無しに排尿便をしてその処理をも行えるようにするオムツや装置は種々考案されている。例えば、特許文献１には側面視略Ｌ字状の排尿便処理体に大便検知センサーと共に各種ノズルを備えた技術が開示されている。
【０００３】
この技術は、排尿便する場合は、まず患者等が排尿便処理体の立ち上がり部を人体股間で挟圧しながら腰臀部を排尿便処理体上に載置するものであり、用便後は近接センサーから成る大便検知センサーで大便を感知して自動的に各種ノズルから洗浄水を噴出して局所を洗浄し、また排尿便処理体内も洗浄するものであり、大便は汚物吸入ホースから外部に排出し、このように自動的に寝たきりの患者の排便処理が行えるようにしたものである。
【０００４】
その他に本願発明者により、寝たきりの患者に装着して排尿便処理が行える自動排便処理装置が開発されており、この自動排便処理装置では、排尿便処理体１０５１内に排泄された排尿便及び洗浄水をホース１０７３を介して吸引して排泄物収容部に収容するようになっていた(図３０参照)。
【０００５】
【特許文献１】特開平８−３２２８６８号公報
【発明の開示】
【発明が解決しようとする課題】
【０００６】
しかしながら、上述した自動排便処理装置では、排尿便処理体１０５１内の排尿便及び洗浄水Ｚをホース１０７３を介して排泄物収容部に吸引する際に、図３１に示すように、（１）排尿便処理体１０５１内の排出通路１０８１の排出口１１０２ａ近傍において押し流された排尿便及び洗浄水Ｚが排出通路１０８１の下方領域にしか貯留されないために排出口１１０２ａに向って排出通路１０８１の上方領域に大量の空気Ｙが流入してしまい真空状態を形成できず、前記排尿便及び洗浄水Ｚを円滑に吸引できない虞があった。
【０００７】
また、（２）排尿便処理体１０５１に連通連結されたホース１０７３内において、排尿便処理体１０５１から排出された排尿便及び洗浄水Ｚがホース１０７３内の空間の下方領域にしか貯留されていないためにホース１０７３の管断面における上方領域を大量の空気Ｙが流入してしまい真空状態を形成できず、前記排尿便及び洗浄水Ｚをホース１０７３の始端から終端まで円滑に吸引できない虞があった。
【０００８】
結果的に排尿便処理体１０５１の排出通路１０８１或はホース１０７３内壁に排尿便及び洗浄水が付着蓄積して臭気を生起してしまう虞があった。
【０００９】
本発明は、排尿便及び洗浄水を排尿便処理体内及びホース内に蓄積させることなく素早く排泄物収容部に収容できる自動排尿便処理装置を提供することを目的とする。
【課題を解決するための手段】
【００１０】
請求項１に記載の発明は、寝具用ベッドの中央に装着孔を穿設すると共に装着孔から寝具ベッドの端部までパイプ通路を形成し、装着孔に装着した排尿便処理体とパイプ通路に嵌着した排出パイプとを連通し、排尿便処理体により排尿便を排出パイプを介して寝具ベッド外に搬送可能に構成した自動排尿便処理装置において、排尿便処理体の内部から排出パイプ終端に至る排尿便通路の一部に屈曲部を形成して排尿便の搬送時に渦流を発生させるべく構成したことを特徴とする。
【００１１】
請求項２に記載の発明は、請求項１に記載の自動排尿便処理装置において、屈曲部は排尿便処理体における処理部本体の排尿便受け部に形成したことを特徴とする。
【００１２】
請求項３に記載の発明は、請求項１に記載の自動排尿便処理装置において、屈曲部は排出パイプの中途に形成したことを特徴とする。
【００１３】
請求項４に記載の発明は、請求項１に記載の自動排尿便処理装置において、屈曲部は排出パイプの始端近傍に形成したことを特徴とする。
【００１４】
請求項５に記載の発明は、請求項１に記載の自動排尿便処理装置において、屈曲部は排出パイプの終端近傍に形成したことを特徴とする。
【００１５】
請求項６に記載の発明は、請求項１〜５の何れか１項に記載の自動排尿便処理装置において、屈曲部は排尿便通路を上方へ屈曲させたことを特徴とする。
【００１６】
請求項７に記載の発明は、請求項１〜５の何れか１項に記載の自動排尿便処理装置において、屈曲部は排尿便通路を下方へ屈曲させたことを特徴とする。
【発明の効果】
【００１７】
請求項１に記載の発明によれば、自動排尿便処理装置の内部から排出パイプ終端に至る排尿便通路の一部に屈曲部を形成すると、排尿便処理体内に排出された排尿便及び洗浄水を排出パイプを介して寝具ベッド外に搬送する際に、排尿便通路の屈曲部において排尿便及び洗浄水が堰き止められることにより排尿便通路の空間が密閉或は狭められ、この状態で吸引がなされると堰き止められた箇所より下手側の排尿便通路内は負圧状態となり、同排尿便通路の屈曲部を排尿便及び洗浄水が流れる際に、排尿便通路の管断面における中心位置の排尿便及び洗浄水には、屈曲部の曲率により遠心力が生起され屈曲部の下部から上部（或は上部から下部）に向う第１流れが発生し、また、排尿便通路の屈曲部における上部と下部では圧力分布が異なるために圧力勾配力が作用することにより、屈曲部の上部から下部（或は下部から上部）に第２流れが発生し、これら第１流れと第２流れによる渦流が発生することとなる。渦流をともなった排尿便及び洗浄水が排尿便通路外に素早く排出されることが可能となる。そして、排尿便通路において排尿便及び洗浄水が付着して蓄積することがなくなり、排尿便通路から発生する臭気を防止でき、常に清潔に使用することが可能となる効果がある。
【００１８】
請求項２に記載の発明によれば、排尿便処理体における処理部本体の排尿便受け部に屈曲部を形成したので、排尿便及び洗浄水が排尿便処理体内に排出されると、屈曲部において排尿便及び洗浄水を堰き止められることにより排尿便受け部の空間が密閉或は狭められ、この状態で吸引がなされると屈曲部より下手側の排尿便受け部内は負圧状態となり排尿便及び洗浄水が排尿便処理体外に素早く搬送される。さらに、同排尿便受け部の屈曲部を排尿便及び洗浄水が流れる際に、排尿便受け部の管断面における中心位置の排尿便及び洗浄水には、屈曲部の曲率により遠心力が生起され屈曲部の下部から上部（或は上部から下部）に向う第１流れが発生し、また、排尿便受け部における屈曲部の上部と下部では圧力分布が異なるために圧力勾配力が作用することにより、屈曲部の上部から下部（或は下部から上部）に第２流れが発生し、これら第１流れと第２流れによる渦流が発生することとなる。渦流をともなった排尿便及び洗浄水が排尿便通処理体外に素早く排出されることが可能となる。このとき、排尿便及び洗浄水が強力な吸引作用で吸い出されるために排尿便処理体内に排尿便及び洗浄水が付着して蓄積することがなくなる効果がある。
【００１９】
請求項３に記載の発明によれば、排出パイプの中途に屈曲部を形成したので、中容量の排尿便及び洗浄水が屈曲部において堰き止められことにより排出パイプの管断面の空間が密閉或は狭められ、この状態で吸引がなされると屈曲部より下手側の排出パイプ内は負圧状態となり排尿便及び洗浄水が排出パイプの終端側に向って素早く搬送される。さらに、同排出パイプの屈曲部を排尿便及び洗浄水が流れる際に、排出パイプの管断面における中心位置の排尿便及び洗浄水には、屈曲部の曲率により遠心力が生起され屈曲部の下部から上部（或は上部から下部）に向う第１流れが発生し、また、排出パイプにおける屈曲部の上部と下部では圧力分布が異なるために圧力勾配力が作用することにより、屈曲部の上部から下部（或は下部から上部）に第２流れが発生し、これら第１流れと第２流れによる渦流が発生することとなる。渦流をともなった排尿便及び洗浄水が排出パイプ外に素早く排出されることが可能となる。このとき、排尿便及び洗浄水を強力な吸引作用で吸い出すために排出パイプ内に排尿便及び洗浄水が付着して蓄積することがなくなる効果がある。
【００２０】
請求項４に記載の発明によれば、排出パイプの始端近傍に屈曲部を形成したので、小容量の排尿便及び洗浄水が屈曲部において堰き止められことにより排出パイプの管断面の空間が密閉或は狭められ、この状態で吸引がなされると屈曲部より下手側の排出パイプ内は負圧状態となり排尿便及び洗浄水が排出パイプの終端側に向って素早く搬送される。さらに、同排出パイプの屈曲部を排尿便及び洗浄水が流れる際に、排出パイプの管断面における中心位置の排尿便及び洗浄水には、屈曲部の曲率により遠心力が生起され屈曲部の下部から上部（或は上部から下部）に向う第１流れが発生し、また、排出パイプにおける屈曲部の上部と下部では圧力分布が異なるために圧力勾配力が作用することにより、屈曲部の上部から下部（或は下部から上部）に第２流れが発生し、これら第１流れと第２流れによる渦流が発生することとなる。渦流をともなった排尿便及び洗浄水が排出パイプ外に素早く排出されることが可能となる。このとき、小容量の排尿便及び洗浄水を強力な吸引作用で吸い出すために排出パイプ内に排尿便及び洗浄水が付着して蓄積することがなくなる効果がある。
【００２１】
請求項５に記載の発明によれば、排出パイプの終端近傍に屈曲部を形成したので、大容量の排尿便及び洗浄水が屈曲部において堰き止められことにより排出パイプの管断面の空間が密閉或は狭められ、この状態で吸引がなされると屈曲部より下手側の排出パイプ内は負圧状態となり排尿便及び洗浄水が排出パイプの終端の外方に向って素早く搬送される。さらに、同排出パイプの屈曲部を排尿便及び洗浄水が流れる際に、排出パイプの管断面における中心位置の排尿便及び洗浄水には、屈曲部の曲率により遠心力が生起され屈曲部の下部から上部（或は上部から下部）に向う第１流れが発生し、また、排出パイプにおける屈曲部の上部と下部では圧力分布が異なるために圧力勾配力が作用することにより、屈曲部の上部から下部（或は下部から上部）に第２流れが発生し、これら第１流れと第２流れによる渦流が発生することとなる。渦流をともなった排尿便及び洗浄水が排出パイプ外に素早く排出されることが可能となる。このとき、大容量の排尿便及び洗浄水を強力な吸引作用で吸い出すために排出パイプ内に排尿便及び洗浄水が付着して蓄積することがなくなる効果がある。
【００２２】
請求項６に記載の発明によれば、屈曲部は排尿便通路を上方へ屈曲させたので、排出パイプに形成した屈曲部の山部により排尿便及び洗浄水が堰き止められることにより排尿便通路の空間が密閉或は狭められ、この状態で吸引がなされると屈曲部より下手側の排尿便通路内は負圧状態となり排尿便及び洗浄水が排出パイプの終端側に向って素早く搬送される。さらに、同排出パイプの屈曲部を排尿便及び洗浄水が流れる際に、排尿便通路の管断面における中心位置の排尿便及び洗浄水には、屈曲部の曲率により遠心力が生起され屈曲部の下部から上部に向う第１流れが発生し、また、排尿便通路における屈曲部の上部と下部では圧力分布が異なるために圧力勾配力が作用することにより、屈曲部の上部から下部に第２流れが発生し、これら第１流れと第２流れによる渦流が発生することとなる。渦流をともなった排尿便及び洗浄水が排尿便通路外に素早く排出されることが可能となる。
【００２３】
請求項７に記載の発明によれば、屈曲部は排尿便通路を下方へ屈曲させたので、排出パイプに形成した屈曲部の谷部に排尿便及び洗浄水が貯留されることにより排尿便通路の空間が密閉或は狭められ、この状態で吸引がなされると屈曲部より下手側の排尿便通路内は負圧状態となり排尿便及び洗浄水が排出パイプの終端側に向って素早く搬送される。さらに、同排出パイプの屈曲部を排尿便及び洗浄水が流れる際に、排尿便通路の管断面における中心位置の排尿便及び洗浄水には、屈曲部の曲率により遠心力が生起され屈曲部の上部から下部に向う第１流れが発生し、また、排尿便通路における屈曲部の上部と下部では圧力分布が異なるために圧力勾配力が作用することにより、屈曲部の下部から上部に第２流れが発生し、これら第１流れと第２流れによる渦流が発生することとなる。渦流をともなった排尿便及び洗浄水が排尿便通路外に素早く排出されることが可能となる。
【発明を実施するための最良の形態】
【００２４】
この発明の実施例を図面に基づき説明する。
【００２５】
図１に示すように、Ｋは、本発明の実施例である自動排尿便処理装置を示すものであり、この自動排尿便処理装置Ｋの概要は次のように構成されている。
【００２６】
すなわち、先ず患者が仰臥できるだけの面積を有したウレタン製の寝具ベッド１１を用い中央に装着孔１２を形成し、装着孔１２の一側は、寝具ベッド１１に形成したパイプ通路１３と連通させている。
【００２７】
装着孔１２は、略矩形状に形成し、この装着孔１２の周辺には、中央に装着孔１２に対応した孔２２を有したおしめ２１を敷く。その際に、その孔２２と装着孔１２とを対応させて、おしめ２１の下手側に延設した折返し被覆部２３と上手側に延設した腰周り部２４とが装着孔１２の外周からはみ出した状態とする。
【００２８】
装着孔１２（図１参照）には、図２に示すように、矩形状の台座３１０を嵌着しており、台座３１０の上表面は凹状半円弧とした揺動受面３１１を形成しており、揺動受面３１１の先端縁部には後述する支持枠体３１の揺動範囲を規制するための調整ストッパー手段３１２が設けられている。
【００２９】
また、図２及び図３に示すように、台座３１０上には、以下に述べる略矩形状の支持枠体３１を揺動自在に載置している。すなわち、支持枠体３１の外底面３８ａは、凸状半円弧とした揺動底部３８（図３参照）を形成し、支持枠体３１には、ウレタン製の略Ｕ字型の尻載せパッド４１（図１参照）を載置し、尻載せパッド４１の中央のＵ字状切欠空間４２には、略Ｌ字形状の排尿便処理体５１の横部材５２（図７参照）を遊嵌する。従って、支持枠体３１上に尻載せパッド４１及び略Ｌ字形状の排尿便処理体５１を装着した状態では略Ｌ字形状の排尿便処理体５１の縦部材５３（図７参照）は尻載せパッド４１上面より上方に突出した状態となる。
【００３０】
患者が本発明の自動排尿便処理装置Ｋを使用する際には、寝具ベッド１１に仰臥し尻部を尻載せパッド４１上に載置し、図９に示すように、排尿便処理体５１の略Ｌ字状の縦部材５３を股間に挟んで略Ｌ字状の横部材５２の舟型内部に排尿、排便を行い、横部材５２の頭部に設けた射水ノズル１０５からの排水により、尿便を排尿便処理体５１外に排出し、排尿便処理体５１の縦部材５３に設けた洗浄ノズル２０３、ビデノズル２０２から洗浄水により尻部や局部を洗浄し、また、排尿便処理体５１の横部材５２に設けた尻ノズル１０４から洗浄水により尻部を洗浄し、その後、乾燥ノズル２０４、送気ノズル２０５からの送風により尻部や局部を乾燥するものである。
【００３１】
次に、自動排尿便処理装置Ｋを構成する各構成部材について説明する。
【００３２】
（i）装着孔１２の周辺に敷設するおしめ２１について説明する。
【００３３】
おしめ２１は、中央部分に寝具ベッド１１の装着孔１２に対応した孔２２を形成する。孔２２の裏側には、方形状の箱型袋２６が垂設されており、この箱型袋２６は、寝具ベッド１１周辺におしめ２１を敷くときに中央の装着孔１２中に嵌入されて、さらにその中には、後述する台座３１０が嵌入される。その孔２２の下手側には、左右に露出した股間を覆うための折返し被覆部２３を延設し、同孔２２の上手側には、左右に張出した腰周り部２４を延設した形状としている。
【００３４】
（ii）台座３１０について説明する。
【００３５】
図２及び図３に示すように、台座３１０は、寝具ベッド１１（図１参照）の装着孔１２に嵌着しうる一定厚みの矩形状に形成されており、その上表面は凹状半円弧の揺動受面３１１を形成している。しかも、揺動受面３１１の先端縁部には揺動受面３１１上に揺動自在に載置する支持枠体３１の揺動範囲を規制するための調整ストッパー手段３１２を設けている。
【００３６】
すなわち、調整ストッパー手段３１２は、揺動受面３１１の先端縁部の半円弧面の左右に突起３１３，３１３を突設して、該突起３１３，３１３に後述する支持枠体３１の構成部材が当接することにより、それ以上の左右揺動が行えないようにしている。
【００３７】
あるいは調整ストッパー手段３１２は、図４及び図５に示すように、一方の係合片３２０の突出作動により、この一方の係合片３２０と後述する支持枠体３１の構成部材とが当接係合して、揺動範囲が規制されるものであり、この際に他方の係合片３２０の埋没作動により、他方の係合片３２０と支持枠体３１の構成部材とが干渉することなく、支持枠体３１は、揺動を行うことができる。
【００３８】
（iii）支持枠体３１について説明する。
【００３９】
図２から図４に示すように、台座３１０上に載置される支持枠体３１は、外底面３８ａ（図２参照）を凸状半円弧に形成した底板３２を有する矩形ケース３９よりなり、上方開口の箱型としている。
【００４０】
すなわち、底板３２の外周縁には外周壁３３が少なくとも後述する尻載せパッド４１（図１参照）の厚みより低い状態で立設されている。更に底板３２の中央には、長手方向に沿って帯状のガイド通路３４が設けられており、両側にはガイド壁３５が設けられている。
【００４１】
ガイド通路３４は、下手側の枠体前壁３３ａを突き抜けて底板３２の下手終端より突出し、突出部３６の終端は開放状態としており、従って、支持枠体３１を寝具ベッド１１（図１参照）の装着孔１２に装着した台座３１０上に載置する場合は、ガイド通路３４の突出部３６を装着孔１２と連通したパイプ通路１３内に嵌め込んでおく。
【００４２】
以上のように構成された支持枠体３１は、外周壁３３と帯状のガイド通路３４との間に略Ｕ字状のＵ字空間３７を形成しており、Ｕ字空間３７の内底面は、凹状半円弧に形成している。このＵ字空間３７に後述する略Ｕ字状の尻載せパッド４１（図１参照）が嵌着される。
【００４３】
このように外底面３８ａ（図２参照）を凸状半円弧とした支持枠体３１は、内底面が凹状半円弧の台座３１０上に左右揺動自在に載置されて、後述するように患者の尻部や腰部の動きに応じて左右に揺動して尻部のずれを吸収する。
【００４４】
しかも、図２に示すように、支持枠体３１は、台座３１０上で患者の尻部のずれや動きに応じて揺動するものの、その揺動範囲と一定の角度に規制するために台座３１０の調整ストッパー手段３１２と協働するための構造を設けている。
【００４５】
すなわち、支持枠体３１の中央には、帯状のガイド通路３４が設けられ、このガイド通路３４は前述の如く枠体前壁３３ａを突き抜けて支持枠体３１の枠外に突出しており、当然にその両側のガイド壁３５も枠体前壁３３ａより突出している。
【００４６】
かかる構造の支持枠体３１を台座３１０上に載置した場合、台座３１０の前壁３１５の左右に配設した突起３１３，３１３がガイド壁３５の外側面と対向する状態となる。
【００４７】
従って、支持枠体３１を一方向に揺動させると台座３１０の突起３１３，３１３先端が当接して、それ以上は揺動できない。
【００４８】
なお、かかる一定範囲内の揺動ができるためには、凸状半円弧に形成した底板３２の前端部の一部のみ、すなわち、底板３２より前方に突出したガイド壁３５の横側方において凸状半円弧の底板３２の前端部のみを切欠して平坦面３２ａを形成しておく必要がある。
【００４９】
すなわち、図５に示すように、支持枠体３１が揺動していない中立位置にある場合には、この平坦面３２ａにより形成された空間３２ｂは、台座３１０の係合片３２０が位置して支持枠体３１の底板３２と干渉せずに支持枠体３１の揺動を可能とする。
【００５０】
このように揺動範囲は、突出状の突起３１３，３１３がガイド壁３５に当接する範囲に限定される。
【００５１】
（iv）尻載せパッド４１について説明する。
【００５２】
尻載せパッド４１（図１参照）は、支持枠体３１に形成された略Ｕ字状のＵ字空間３７に嵌着できるように同じく略Ｕ字状に形成しており、中央のＵ字状切欠空間４２に支持枠体３１のガイド通路３４のガイド壁３５が嵌着できる構成としている。
【００５３】
かかる尻載せパッド４１を支持枠体３１のＵ字空間３７に嵌着した装着孔１２に嵌入装着した場合に、尻載せパッド４１の略Ｕ字状中央のＵ字状切欠空間４２には、支持枠体３１のガイド通路３４のガイド壁３５が嵌着されるため略Ｕ字状の尻載せパッド４１はガイド通路３４を囲繞する状態となる。
【００５４】
また、尻載せパッド４１の底面は、凸状半円弧の形状としており、従って、支持枠体３１内のＵ字空間３７中に尻載せパッド４１を装着する場合に支持枠体３１の凹状半円弧の内底面と一致して密着した装着が可能となる。
【００５５】
また、支持枠体３１のＵ字空間３７は、排尿便処理体５１内より漏洩した洗浄水が尻載せパッド４１の周面より浸透しても漏水を貯留させ、寝具ベッド１１裏面を濡らすことを防止する効果がある。
【００５６】
（v）排尿便処理体５１について説明する。
【００５７】
図７に示すように、排尿便処理体５１は、外底面を凸状半円弧に形成した支持枠体３１（図２参照）のガイド通路３４に嵌着する略長手楕円形状とした支持ケース５５と、同支持ケース５５中に嵌入して内蔵される略Ｌ字形状の処理部本体５６とより構成される。
【００５８】
図８及び図９に示すように、支持ケース５５は、周辺に周壁を形成し、その内部に後述する処理部本体５６の横部材５２が収納されるように長方形に形成している。同支持ケース５５の左右両側壁は、中央部分を山型に隆起させ、この隆起部５５ａ及び支持ケース５５の後半部開口縁には、更に縦ケース５７を嵌着連設可能に構成しており、縦ケース５７は、後述する略Ｌ字状の処理部本体５６の縦部材後方と処理部本体５６の上面の一部をケーシングすることができるように横断面半円弧状で側面視略L字状に形成している。
【００５９】
更には、支持ケース５５と縦ケース５７との組付けで形成される下手側端部開口には、筒状のカップリング５８が連結されており、該カップリング５８内には、後述する処理部本体５６の下手端部に設けられた尿便の排出通路８１（図９参照）及びそれに連通した排出パイプ１０３（図１参照）が挿入される。
【００６０】
なお、排尿便処理体５１の支持ケース５５は支持枠体３１と共に台座３１０上で左右に揺動するため、排尿便処理体５１の排出通路８１と排出パイプ１０３の連結部分とは、カップリング５８内で回転自在となるように構成されており、従って、台座３１０上で揺動する排尿便処理体５１の回動中心線は、排出通路８１と排出パイプ１０３との回転連結部分の回転中心線と一致させておく必要がある。
【００６１】
また、図９に示すように、処理部本体５６の縦部材８０後方をケーシングする縦ケース５７の上端縁には、患者の局部を上方から覆うための覆体５９が開閉自在に枢着されている。
【００６２】
かかる処理部本体５６は、図８及び図９に示すように、内部を舟型に形成した排尿便受け部８２と、その下手端部に立設した洗浄ノズル保持体６１とにより略Ｌ字状に形成されている。
【００６３】
図８及び図１２に示すように、排尿便受け部８２の前端には、前端ノズルブラケット６０が設けられており、該前端ノズルブラケット６０には、排尿便受け部８２に貯留された尿便を下手側方向に押しやるべく射水するための射水ノズル１０５が設けられており、該射水ノズル１０５の近傍には隣接して患者尻部下面及び腰部を乾燥するための送気ノズル２０５が配設されている。
【００６４】
図９に示すように、排尿便受け部８２の下手側終端には、排出口１０２ａが設けられており、同排尿便受け部８２に貯留された排尿便及び洗浄水を外部の貯留タンク３００に排出パイプ１０３を介して排出する。
【００６５】
また、図９及び図１１に示すように、洗浄ノズル保持体６１には、洗浄ノズル２０３、ビデノズル２０２、乾燥ノズル２０４が設けられており、何れも患者の局部あるいは肛門に向って、水や空気を送ることができるように構成されている。
【００６６】
これらの各ノズルに通じるパイプ基端は、図８から図１０に示すように、洗浄ノズル保持体６１の裏面に突出し、洗浄ノズル保持体６１の裏面に装着した分配器６２の分岐パイプ６２ａに連通されている。更に、分配器６２の裏側においては、処理部本体５６の洗浄ノズル保持体６１上面にヒーター部６３を装着しており、分配器６２に通じるエアパイプをヒーター部６３を介して加熱するように構成している。
【００６７】
また、図９に示すように、支持ケース５５の底面の略中央部には、断面山型の係合爪６７を突設すると共に、支持ケース５５を嵌着する支持枠体３１のガイド通路３４内の底面の下手部には多段の断面山型の係合溝６８（図２参照）を形成している。７１は排尿便処理体５１の上手側の底面を押上げる略Ｚ形状の板ばね（図８参照）、７２は板ばね７１の上面に載置した略半円状の押上受板である。
【００６８】
（vi）排尿便処理体５１の各種ノズル及び各種センサーについて説明する。
【００６９】
図６及び図９に示すように、排尿便処理体５１には、人体の各部位を洗浄するため洗浄水を噴射する尻ノズル１０４，射水ノズル１０５，ビデノズル２０２，洗浄ノズル２０３と、洗浄後に人体の局部及び外部尻部を乾燥するため空気を噴射する乾燥ノズル２０４、送気ノズル２０５、さらに、着用センサーＩ、大便センサーＧ、小便センサーＨ、水位センサーＪが各所に配置されている。
【００７０】
（vi−１）各種ノズルについて詳細に説明する。
【００７１】
図９及び図１１に示すように、排尿便処理体５１は、前面凹部１１３の底面の下端部に配設された洗浄ノズル２０３と、前面凹部１１３の底面の、洗浄ノズル２０３より上方の位置に配設されたビデノズル２０２を有している。また、排尿便処理体５１は、排出通路８１の排出部１０２と反対側の端部に配設された射水ノズル１０５と、排出通路８１の排出部１０２と反対側の端部における射水ノズル１０５より上方の位置に配設された尻ノズル１０４を有している。
【００７２】
また、これら各種パイプは、束ねて外観ホース７３内に挿入される。
【００７３】
患者が排便、排尿すると、排尿便処理体５１は、大便センサーＧ、小便センサーＨにより大便、小便を検知し、その検出信号を処理操作部Ｃ（図６参照）へと送信する。かかる検出信号を受信した処理操作部Ｃは、ビデノズルパイプ６０２ｂ、洗浄ノズルパイプ６０３、射水ノズルパイプ６０５、尻ノズルパイプ６０２ｃに洗浄水を供給し、ビデノズル２０２、洗浄ノズル２０３、射水ノズル１０５、尻ノズル１０４の各々から洗浄水が排尿便処理体５１内へ噴射される。
【００７４】
(vii)外部処理構成としての処理操作部Ｃについて説明する。
【００７５】
図６に示すように、処理操作部Ｃは、排尿便処理体５１の排尿便及び洗浄水を収容する排泄物収容部Ｄと、排尿便処理体５１から股間部と同排尿便処理体５１との一定圧の密着状態を示す着用信号や排便及び／又は排尿の検出信号や排尿便受け部の水位上昇を示す水位信号を受信し、その後の洗浄動作や空気袋ポンプ１６０の膨張収縮などの各種動作を遂行するノズル操作部Ｆと、排尿便処理体５１に洗浄水を供給する洗浄水供給部Ｅとよりなる。
【００７６】
(vii−１)
排泄物収容部Ｄは、貯留タンク３００を有しており、貯留タンク３００は、排出パイプ１０３を介して、排尿便処理体５１の排出口１０２ａと接続されている。
【００７７】
また、ホース連結部３０３には、排出パイプ１０３と隣り合うように吸気パイプ４０１ａが接続されている。
【００７８】
(vii−２)
洗浄水供給部Ｅは、洗浄水としての原水を供給する原水タンク５００と、排尿便処理体５１内に供給する洗浄水を所定温度に加熱するための温水タンク５０１と、原水タンク５００から温水タンク５０１への給水を制御するソレノイドバルブ５０３を備えている。温水タンク５０１は、原水タンク５００からソレノイドバルブ５０３を介して供給された原水を加熱する管ヒーター５０２と、水位を感知する水位センサー５０５と、水温を感知する温度センサー５０６とを備えている。
【００７９】
洗浄水供給部Ｅは、温水タンク５０１内の原水の温度を温度センサー５０６で検知して、原水を管ヒーター５０２で加熱して温水とする。
【００８０】
(vii−３)
ノズル操作部Ｆは、上述のように、排泄物収容部Ｄに吸気パイプ４０１ａを介して接続されており、また、洗浄水供給部Ｅに送水パイプ５０４ａを介して接続されている。さらに、後述するが排尿便通路に設けた空気袋１５１を膨張収縮する機能も備えている。図中の４０１ａは吸気パイプ、４０９は弁としての吸気バルブ、４０８は減圧部としての真空タンク、４０１ｂは吸気パイプ、４０７ａは悪臭除去フィルタ、４１３は圧力スイッチ、４０１ｃは吸気パイプ、４０１ｄは吸気パイプ、４００は吸入ポンプ、４０２は吸気口、４０５は排気口、４１４はエア排出パイプ、４０７ｂは消音器である。
【００８１】
一方、送水パイプ５０４ａは、フィルタ５０７、送水パイプ５０４ｂ、加圧ポンプ６００、ノズルパイプ６０１ａ、各種ソレノイドバルブ９１，９２，９３、三方弁７４、各種ノズルパイプ６０２ａ，６０２ｂ，６０２ｃ，６０３，６０５を経て、排尿便処理体５１内の尻ノズル１０４，射水ノズル１０５，ビデノズル２０２，洗浄ノズル２０３に接続されている。
【００８２】
真空タンク４０８内に真空状態を形成することにより、より強い負圧を発生させて排尿便処理体５１内の排尿便及び洗浄水を効率良く吸引することができる構成となっている。
【００８３】
また、ソレノイドバルブ９５，９６、消音器４０４、２基の悪臭除去フィルタ４０７ａ，４０７ａ、消音器４０７ｂは１ユニット化されてフィルタアセンブリ６０７を構成している。
【００８４】
（viii）排尿便通路の屈曲部について説明する。
上述した本実施形態の自動排尿便処理装置Ｋにおける排尿便処理体５１は、寝具ベッド１１上に仰臥した状態の患者Ｐの股間に装着されて、排尿便処理体５１内に排出した排尿便及び洗浄水は円滑に排泄物収容部Ｄに収容されるものであり、かかる排尿便及び洗浄水は排尿便処理体５１の内部から排出パイプ１０３の終端に至る排尿便通路によって貯留タンク３００内に排出貯留される。
【００８５】
本発明の特徴とするものは、かかる排尿便通路の一部に屈曲部を形成したことにある。
【００８６】
すなわち、患者Ｐより排尿便処理体５１内に排出された排尿便及び洗浄水を排出パイプ１０３を介して寝具ベッド１１外に搬送する際に、排尿便通路の一部に屈曲部１５０を設けることにより、排尿便及び洗浄水が堰き止められ水位が上昇して排尿便通路の管断面方向の上方の空間が密閉或は狭められることとなる。そして、この状態で吸引がなされると排尿便通路の管断面方向の上方空間が密閉されているために堰き止められた箇所より下手側の排尿便通路内は負圧状態となり、排尿便及び洗浄水が排尿便処理体５１の排出通路８１、逆止弁ケース６６、排出パイプ１０３を通過して素早く排泄物収容部Ｄの貯留タンク３００に向って搬送される。
【００８７】
さらに、排尿便及び洗浄水が同排尿便通路に設けた屈曲部１５０を流れる際に、排尿便通路の管断面における中心位置の排尿便及び洗浄水には、屈曲部１５０の曲率により遠心力が生起され屈曲部１５０の下部１５０ｂから上部１５０ａ（或は上部１５０ａから下部１５０ｂ）に向う第１流れＦ１が発生し、また、排尿便通路の屈曲部１５０における上部１５０ａと下部１５０ｂでは圧力分布が異なるために圧力勾配力が作用することにより、屈曲部１５０の上部１５０ａから下部１５０ｂ（或は下部１５０ｂから上部１５０ａ）に第２流れＦ２が発生し、これら第１流れＦ１と第２流れＦ２による渦流Ｆ３が発生することとなる。渦流Ｆ３をともなった排尿便及び洗浄水が排尿便通路外に素早く排出されることが可能となる。
【００８８】
そして、排尿便通路において排尿便及び洗浄水が付着して蓄積することがなくなり、排尿便通路から発生する臭気を防止でき、常に清潔に使用することが可能となる効果がある。
【００８９】
屈曲部１５０は、上記排尿便通路の何れかの位置に１箇所設けるようにしたが、複数箇所に設けるようにしてもよい。かかる構成によれば、排尿便処理体５１及び排出パイプの始端側から終端側までの排尿便通路内における排尿便及び洗浄水の搬送を効率よく確実に実行することが可能となる。
【００９０】
以下に、屈曲部を排尿便通路の一部に形成した実施例を示す。
【００９１】
［実施例１］
実施例１は、屈曲部１５０を排尿便処理体５１の排尿便受け部８２内に設けた例について説明する。上述したように排尿便処理体５１には、処理部本体５６に排尿便受け部８２が形成されており、排尿便受け部８２には、排尿便及び洗浄水を貯留排出する排出通路８１が設けられている。この排出通路８１の下手側の底部８１ａには、膨張伸縮自在の空気袋１５１が配設されている。そして、空気袋１５１を膨張させると排出通路８１に屈曲部１５０が形成される。すなわち、空気袋ポンプ１６０から第３空気パイプ１６１を介して空気が注入されると空気袋１５１が膨らんだ状態となり、排出通路８１の空間Ｓを狭めることとなる。
【００９２】
そして、排尿便受け部８２の排出通路８１に排尿便が排出されたのち、射水ノズル１０５から排尿便に洗浄水が射出されると、排尿便及び洗浄水Ｚが膨らんだ状態の空気袋１５１に堰き止められた状態となる（図１４参照）。このとき、排出通路８１は、排尿便及び洗浄水Ｚと空気袋１５１により同排出通路８１の空間Ｓは、下方から上方に向って狭められ密閉状態となる。
【００９３】
次いで、図１６及び図１７に示すように、排出通路８１が狭められて密閉状態となると同時に、真空タンク４０８で真空に引いた状態から吸気バルブ４０９を開き、吸気パイプ４０１ａ、排出パイプ１０３を介し吸引すると、堰き止められた箇所より下手側の排尿便処理体５１内の排出通路８１は負圧状態となり、強い負圧が発生して上手側から下手側に排尿便及び洗浄水Ｚを流すと共に、さらに、排出通路８１の屈曲部１５０を通過する排尿便及び洗浄水Ｚに渦流Ｆ３を発生させることとなる。すなわち、排出通路８１の管断面における中心位置の排尿便及び洗浄水Ｚ１には、屈曲部１５０の曲率により遠心力が生起され屈曲部１５０の下部１５０ｂから上部１５０ａに向う第１流れＦ１が発生し、また、排出通路８１における屈曲部１５０の上部１５０ａと下部１５０ｂでは圧力分布が異なるために圧力勾配力が作用することにより、屈曲部１５０の上部１５０ａから下部１５０ｂに第２流れＦ２が発生し、これら第１流れＦ１と第２流Ｆ２による渦流Ｆ３が発生することとなる。渦流Ｆ３を伴った排尿便及び洗浄水Ｚは排出口１０２ａから逆止弁ケース６６を介し排尿便処理体５１外に吸引され、さらに排出パイプ１０３を介して貯留タンク３００に収容される（図６参照）。
【００９４】
かかる排尿便通路の排出通路８１において排尿便及び洗浄水が付着して蓄積することがなくなり、排出通路８１から発生する臭気を防止でき、常に清潔に使用することが可能となる効果がある。
【００９５】
空気袋１５１は、例えば、膨らませた状態において蒲鉾形状とすることで、排尿便及び洗浄水Ｚを効率よく堰き止めることが可能となる効果がある。
【００９６】
空気袋１５１の高さを調節することで、排尿便処理体５１内の排出通路８１を流れる排尿便及び洗浄水Ｚに渦流Ｆ３を効率よく発生させることができる。
【００９７】
なお、排尿便及び洗浄水を堰き止める際には、空気袋１５１の高さを高くし（図１４参照）、排尿便処理体５１外に排出する際には、図１７に示すように空気袋１５１の高さを低くすることにより排尿便及び洗浄水Ｚが排出通路８１を流れ易くする効果もある。
【００９８】
上記空気袋１５１の高さを低くするために空気袋１５１を萎ますタイミングとしては、排出通路８１内の排尿便及び洗浄水を吸引したのちとしてもよいし、また、水位センサーＪが排出通路８１内の水位を検知したときとしてもよいし、或は大便センサーＧが大便を検知して射水ノズル１０５より洗浄水を所定時間射出したのちとしてもよい。
【００９９】
次いで、実施例２から実施例６は、屈曲部１５０を寝具ベッド１１のパイプ通路１３に挿通した排出パイプ１０３の始端から終端までに設けた例について説明する。
【０１００】
［実施例２］
図１８に示すように、空気袋１５１は、寝具ベッド１１のパイプ通路１３の始端から終端までの中間位置１３ｍにおける同パイプ通路１３の底部１３ａに設けられる。このとき空気袋１５１を膨らませると、パイプ通路１３内の外観ホース７３を所定高さｈ１だけ上方へ押上げることにより、同外観ホース７３内に挿通した排出パイプ１０３に山部１０３ａを有する屈曲部１５０が形成される。
【０１０１】
この屈曲した排出パイプ１０３において、排尿便処理体５１外に排出された排尿便及び洗浄水Ｚが同排出パイプ１０３の山部１０３ａで堰き止められる（図２３参照）。このとき、山部１０３ａより始端側において、同排出パイプ１０３の内部空間に貯留された排尿便及び洗浄水Ｚが、同排出パイプ１０３の管断面の下方から上方まで狭めて密閉状態を形成する。
【０１０２】
そして、真空タンク４０８で真空に引いた状態から吸気バルブ４０９を開き吸気パイプ４０１ａ、排出パイプ１０３を介し吸引する。この状態で吸引がなされると屈曲部１５０より下手側の排出パイプ１０３内は負圧状態となり排尿便及び洗浄水が貯留タンク３００に向って素早く搬送される。このとき、同排出パイプ１０３の屈曲部１５０を流れる排尿便及び洗浄水Ｚに渦流Ｆ３が生起する。すなわち、図２４及び図２５に示すように、排出パイプ１０３の管断面における中心位置の排尿便及び洗浄水Ｚ１には、屈曲部１５０の曲率により遠心力が生起され、屈曲部１５０の下部１５０ｂから上部１５０ａに向う第１流れＦ１が発生し、また、排出パイプ１０３の屈曲部１５０の上部１５０ａと下部１５０ｂでは圧力分布が異なるために圧力勾配力が作用することにより、排出パイプ１０３の上部１５０ａから下部１５０ｂに向う第２流れＦ２が発生し、これら第１流れＦ１と第２流れＦ２による渦流Ｆ３が発生することとなる。渦流Ｆ３をともなった排尿便及び洗浄水Ｚは、素早く排出パイプ１０３の終端側に吸引され貯留タンク３００に収容される。
【０１０３】
［実施例３］
図１９に示すように、空気袋１５１は、パイプ通路１３の始端の位置１３ｓにおける同パイプ通路１３の底部１３ａに設けられる。この空気袋１５１を膨らませると、パイプ通路１３内の外観ホース７３を所定高さｈ１だけ上方へ押上げることにより、同外観ホース７３内に挿通した排出パイプ１０３に山部１０３ａを有する屈曲部１５０が形成される。
【０１０４】
排出パイプ１０３内における排尿便及び洗浄水の排出作用については、上記図２４及び図２５を用いた説明と同様のため重複説明を省略する。
【０１０５】
［実施例４］
図２０に示すように、空気袋１５１は、パイプ通路１３の始端の位置１３ｓにおける同パイプ通路１３の上部１３ｂに設けられる。この空気袋１５１を膨らませると、パイプ通路１３内の外観ホース７３を所定深さｈ２だけ下方へ押上げることにより、同外観ホース７３内に挿通した排出パイプ１０３に谷部１０３ｂを有する屈曲部１５０が形成される。このとき、外観ホース７３の一部がパイプ通路１３の底面に沈み込んだ状態となる。
【０１０６】
図２６及び図２７に示すように、この下方に屈曲した排出パイプ１０３において、排尿便処理体５１外に排出された排尿便及び洗浄水Ｚが同排出パイプ１０３の谷部１０３ｂに貯留される。このとき、谷部１０３ｂにおいて、同排出パイプ１０３に排尿便及び洗浄水Ｚが貯留されて、排出パイプ１０３内の管断面の下方から上方まで狭めて密閉状態を形成する。
【０１０７】
そして、真空タンク４０８を真空に引いた状態から吸気バルブ４０９を開き吸気パイプ４０１ａ、排出パイプ１０３を介し吸引する。この状態で吸引がなされると屈曲部１５０より下手側の排出パイプ１０３内は負圧状態となり排尿便及び洗浄水が貯留タンク３００に向って素早く搬送される。このとき、同排出パイプ１０３の屈曲部１５０を流れる排尿便及び洗浄水Ｚに渦流Ｆ３が生起する。すなわち、排出パイプ１０３の管断面における中心位置の排尿便及び洗浄水Ｚ１には、屈曲部１５０の曲率により遠心力が生起され、屈曲部１５０の下部１５０ｂから上部１５０ａに向う第１流れＦ１が発生し、また、排出パイプ１０３の屈曲部１５０の上部１５０ａと下部１５０ｂでは圧力分布が異なるために圧力勾配力が作用することにより、排出パイプ１０３の上部１５０ａから下部１５０ｂに向う第２流れＦ２が発生し、これら第１流れＦ１と第２流れＦ２による渦流Ｆ３が発生することとなる。渦流Ｆ３をともなった排尿便及び洗浄水Ｚは、素早く排出パイプ１０３の終端側に吸引され貯留タンク３００に収容される。
【０１０８】
［実施例５］
図２１に示すように、空気袋１５１は、パイプ通路１３の終端の位置１３ｅにおける同パイプ通路１３内の底部１３ａに設けられる。この空気袋１５１を膨らませると、パイプ通路１３内の外観ホース７３を所定高さｈ１だけ上方へ押上げることにより、同外観ホース７３内に挿通した排出パイプ１０３に山部１０３ａを有する屈曲部が形成される。
【０１０９】
排出パイプ１０３内における排尿便及び洗浄水の排出作用については、上記図２４及び図２５を用いた説明と同様のため重複説明を省略する。
【０１１０】
［実施例６］
図２２に示すように、空気袋１５１は、パイプ通路１３の終端の位置１３ｅにおける同パイプ通路１３内の上部１３ｂに設けられる。この空気袋１５１を膨らませると、パイプ通路１３内の外観ホース７３を所定深さｈ２だけ下方へ押上げることにより、同外観ホース７３内に挿通した排出パイプ１０３に谷部１０３ｂを有する屈曲部１５０が形成される。
【０１１１】
排出パイプ１０３内における排尿便及び洗浄水Ｚの排出作用については、上記図２６及び図２７を用いた説明と同様のため重複説明を省略する。
【０１１２】
上記ノズル操作部Ｆには、上述した各種機能（図６の説明参照）の他に、さらに、空気袋１５１を膨張伸縮する機能を備える。図２８及び図２９は、空気袋を膨張収縮させる作動状態を示す構成図である。
【０１１３】
空気袋１５１は、第３空気パイプ１６１を介してノズル操作部Ｆに連通連結されており、ノズル操作部Ｆには、上述した構成の他にさらに空気袋１５１に空気を供給吸引する空気袋ポンプ１６０と、同空気袋ポンプ１６０の供給口と吸入口にそれぞれ接続した第１空気パイプ１６２及び第２空気パイプ１６３と、両パイプ１６２，１６３に接続した第１ソレノイドバルブ１６４及び第２ソレノイドバルブ１６５を備えている。
【０１１４】
そしてノズル操作部Ｆの第１ソレノイドバルブ１６４を開とし、他方の第２ソレノイドバルブ１６５を閉としたのちに、空気袋ポンプ１６０の供給口から空気が供給され、第１空気パイプ１６２、第３空気パイプ１６１を介して空気袋１５１に注入されると同空気袋１５１が膨らんだ状態となる（図２８参照）。
【０１１５】
また、ノズル操作部Ｆの第１ソレノイドバルブ１６４を閉とし、他方の第２ソレノイドバルブ１６５を開としたのちに、空気袋ポンプ１６０の吸引口から空気を吸引すると、この空気袋１５１内に貯留された空気が第３空気パイプ１６１、第２空気パイプ１６３を介して空気袋ポンプ１６０に吸引されると空気袋１５１が萎んだ状態となる（図２９参照）。
【０１１６】
このように空気袋１５１が膨らんだ状態となることにより、排出通路８１或は排出パイプ１０３の管断面方向（径方向）を狭めるために真空状態を形成し易くする効果がある。
【０１１７】
なお、空気袋１５１は、排尿便処理体５１内の排出通路８１の底部８１ａ或はパイプ通路１３の始端位置１３ｓから終端位置１３ｅまでの所定箇所の何れか一方に設けるようにしたが、さらに、排尿便処理体５１内の排出通路８１の底部８１ａ及びパイプ通路１３の始端位置１３ｓから終端位置１３ｅまでの所定箇所にそれぞれ設けるようにしてもよい。
【０１１８】
すなわち、排尿便処理体５１内及び排出パイプ１０３内のそれぞれの箇所おいて、膨らんだ空気袋１５１で排尿便及び洗浄水が貯留され、吸引すると真空状態が形成されるために、排出された排尿便及び洗浄水を円滑に排泄物収容部Ｄに収容することが可能となる。このとき真空状態で吸引することにより、排尿便処理体５１内及び排出パイプ１０３内では排尿便及び洗浄水の蓄積がなくなり、臭気の発生を防止できる効果がある。
【０１１９】
なお、空気袋１５１を膨張収縮するために、空気袋ポンプ１６０を別体でノズル操作部Ｆに設けたが、空気袋ポンプ１６０の機能を吸入ポンプ４００で行うようにしてもよい。
【図面の簡単な説明】
【０１２０】
【図１】本実施形態の自動排尿便処理装置を示す分解斜視図である。
【図２】支持枠体及び台座を示す分解斜視図である。
【図３】支持枠体を台座に載置した状態を示す斜視図である。
【図４】他の形態の台座に支持枠体を載置した状態を示す斜視図である。
【図５】他の形態の台座に支持枠体を載置した状態を示す正面図である。
【図６】本実施形態の自動排尿便処理装置を示す構成図である。
【図７】排尿便処理体を支持枠体に装着した状態を示す構成図である。
【図８】排尿便処理体の分解斜視図である。
【図９】排尿便処理体の断面図である。
【図１０】処理部本体の斜視図である。
【図１１】各種ノズルの正面図である。
【図１２】（ａ）前端ノズルブラケットの斜視図である。（ｂ）前端ノズルブラケットの正面図である。（ｃ）前端ノズルブラケットの背面図である。
【図１３】本実施形態の自動排尿便処理装置の使用状態を示す説明図である。
【図１４】排尿便処理体内の排尿便及び洗浄水の処理状態を示す説明図である。
【図１５】排尿便処理体内の排尿便及び洗浄水の処理状態を示す説明図である。
【図１６】排尿便処理体内の排尿便及び洗浄水の処理状態を示す説明図である。
【図１７】図１６の排尿便処理体をＡ−Ａ線で切断した状態を示す断面図である。
【図１８】屈曲部をパイプ通路の中間の位置に設けた状態を示す側面図である。
【図１９】屈曲部をパイプ通路の始端の位置に設けた状態を示す側面図である。
【図２０】屈曲部をパイプ通路の始端の位置に設けた状態を示す側面図である。
【図２１】屈曲部をパイプ通路の終端の位置に設けた状態を示す側面図である。
【図２２】屈曲部をパイプ通路の終端の位置に設けた状態を示す側面図である。
【図２３】排出パイプ内の排尿便及び洗浄水の状態を示す側面図である。
【図２４】排出パイプ内の排尿便及び洗浄水の状態を示す側面図である。
【図２５】図２４の排出パイプをＢ−Ｂ線で切断した状態を示す側面図である。
【図２６】排出パイプ内の排尿便及び洗浄水の状態を示す側面図である。
【図２７】図２６の排出パイプをＣ−Ｃ線で切断した状態を示す側面図である。
【図２８】ノズル操作部を作動して空気袋を膨らました状態を示す構成図である。
【図２９】ノズル操作部を作動して空気袋を萎ませた状態を示す構成図である。
【図３０】従来の自動排尿便処理装置を示す構成図である。
【図３１】従来の排尿便処理体からパイプにおける排尿便及び洗浄水の処理状態を示す説明図である。
【符号の説明】
【０１２１】
Ｃ  処理操作部
Ｄ  排泄物収容部
Ｅ  洗浄水供給部
Ｆ  ノズル操作部
Ｇ  大便センサー
Ｈ  小便センサー
Ｉ  着用センサー
Ｊ  水位センサー
Ｋ  自動排尿便処理装置
１１  寝具ベッド
１２  装着孔
２１  おしめ
２２  孔
３１  支持枠体
３２  底板
３３  外周壁
３４  ガイド通路
３５  ガイド壁
４１  尻載せパッド
４２  Ｕ字状切欠空間
５１  排尿便処理体
５２  横部材
５３  縦部材
５５  支持ケース
５７  縦ケース
５８  カップリング
５９  覆体
６０  前端ノズルブラケット
６４  縁部モール体
６６  逆止弁ケース
７４  三方弁
【図１】
2010148724.tif 000003
【図２】
2010148724.tif 000004
【図３】
2010148724.tif 000005
【図４】
2010148724.tif 000006
【図５】
2010148724.tif 000007
【図６】
2010148724.tif 000008
【図７】
2010148724.tif 000009
【図８】
2010148724.tif 000010
【図９】
2010148724.tif 000011
【図１０】
2010148724.tif 000012
【図１１】
2010148724.tif 000013
【図１２】
2010148724.tif 000014
【図１３】
2010148724.tif 000015
【図１４】
2010148724.tif 000016
【図１５】
2010148724.tif 000017
【図１６】
2010148724.tif 000018
【図１７】
2010148724.tif 000019
【図１８】
2010148724.tif 000020
【図１９】
2010148724.tif 000021
【図２０】
2010148724.tif 000022
【図２１】
2010148724.tif 000023
【図２２】
2010148724.tif 000024
【図２３】
2010148724.tif 000025
【図２４】
2010148724.tif 000026
【図２５】
2010148724.tif 000027
【図２６】
2010148724.tif 000028
【図２７】
2010148724.tif 000029
【図２８】
2010148724.tif 000030
【図２９】
2010148724.tif 000031
【図３０】
2010148724.tif 000032
【図３１】
2010148724.tif 000033